(57)【要約】
【課題】　ドア本体とドア開口枠部との間のドア閉じ方向側のコーナー部分に指が挟まれるのを確実に防止でき、かつ見栄えの良い扉用ドア隙間手はさみ防止装置を提供できるようにする。
【解決手段】　周面にカバー部材１１を巻き回して収納するための円筒パイプ１３を巻き取り装置本体１２内に回転自在に保持するとともに、上記円筒パイプ１３の内部に鋼板バネ１４を配設して、上記ドア本体７が開かれるときに引かれて上記カバー部材１１が繰り出される場合に、上記円筒パイプ１３が一側方向に回転するのに伴って捩じれることにより上記鋼板バネ１４に弾性復元力を蓄え、上記ドア本体７が閉じられた場合には、上記鋼板バネ１４に蓄えた弾性復元力で上記円筒パイプ１３を他側方向に回転させて、上記円筒パイプ１３の周面に上記カバー部材１１を巻き取るようにする。
【選択図】　図１
0003100184.tif 000002
【実用新案登録請求の範囲】
【請求項１】
所定の厚みを有するドア本体７の一側端面が、上記ドア本体７が取り付けられているドア枠部材４に対してヒンジ８を介して開閉自在に枢支され、上記ドア本体７の他側端を回動させて開閉するようにしたヒンジ式ドア１の枢支部分を覆う装置において、
　周面にカバー部材１１を巻き回して収納するための円筒パイプ１３を回転自在に保持する巻き取り装置本体１２と、上記円筒パイプ１３の内部に配設され、上記ドア本体７が開かれるときに、上記ドア本体７に引かれて上記カバー部材１１が上記巻き取り装置本体１２から繰り出されることにより上記円筒パイプ１３が一側方向に回転するときに捩じれて弾性復元力を蓄え、上記ドア本体７が閉じられて上記カバー部材１１の緊張が緩んだときに、上記蓄えた弾性復元力で上記円筒パイプ１３を他側方向に回転させて、上記円筒パイプ１３の周面に上記カバー部材１１を巻き取るための鋼板バネ１４とを有し、
　上記巻き取り装置本体１２を上記ドア枠部材４上に取り付けるとともに、上記カバー部材１１の端部１１ｂを上記ドア本体７の一側端部近傍に取り付け、上記カバー部材１１により上記ドア枠部材４と上記ドア本体７の一側端面とで形成されるコーナー部分の空間Ｓを覆うようにしたことを特徴とする扉用ドア隙間手はさみ防止装置。
【考案の詳細な説明】
【技術分野】
【０００１】
　本考案は扉用ドア隙間手はさみ防止装置に関し、特に、住宅等の建築構造物に用いられるヒンジ式ドアを開閉する時に指が挟まれるのを確実に防止できるようにした装置に用いて好適な装置に関する。
【背景技術】
【０００２】
　例えば、住宅等では出入り口に引き戸やドアを設けるのが一般的である。出入り口にドアを用いる場合には、図７に示されるように、ドア開口２０に配設された枠部材２１にヒンジ２２を取り付け、上記ヒンジ２２によりドア本体２３を枢支し、ヒンジ２２が取り付けられているドア本体２３の反対側に取り付けられたノブ２４を持って、上記ドア本体２３を押し引きして開閉するヒンジ式が広く採用されている。
【０００３】
　しかし、この種のヒンジ式ドアでは、ドア本体２３の開放に伴って枠部材２１とドア本体２３の端面２３ａとの間に隙間Ｓが生じ、上記隙間Ｓに誤って指Ｆを差し込んだ時にドア本体２３が閉鎖されると、上記指Ｆが上記隙間Ｓに挟まれて怪我をしてしまう恐れがある。特に、子供や幼児が上記ドア本体２３を開けたり閉めたりする遊びのなかで、上記指Ｆが上記隙間Ｓに挟まれてしまう恐れが大きい。
【０００４】
　また、足腰の弱い老人が壁に伝い歩きをしている際に、上記隙間Ｓに指Ｆを挟み込んでしまうことが懸念されるので、上記ドア本体２３を開けたときに生じる隙間Ｓによる危険を確実に回避することが望まれていた。このような危険を回避するために、例えば、特許文献１においては、上記隙間Ｓ部分をカバーで覆うようにした「既設ドアの安全カバー」が提案されている。
【０００５】
【特許文献１】特開２００３−１８４４２０号公報
【考案の開示】
【考案が解決しようとする課題】
【０００６】
　上記特許文献１に提案されている「既設ドアの安全カバー」によれば、上記ドア本体２３を開いたときに形成される隙間Ｓを、複数枚の薄板を組み合わせてなる安全カバーにより覆ってしまうので、上記隙間Ｓに指Ｆが不測に進入して挟み込まれる危険性を回避することができる。
【０００７】
　しかしながら、上記「既設ドアの安全カバー」は複数枚の薄板を組み合わせて構成しているので、上記安全カバーが嵩張ってしまい、上記ドア本体２３を閉めている状態においては、上記安全カバーが上記枠部材２１と上記ドア本体２３の端部との間からはみ出た状態となり、美観的に優れたものではなかった。
【課題を解決するための手段】
【０００８】
　本考案の扉用ドア隙間手はさみ防止装置は、所定の厚みを有するドア本体７の一側端面が、上記ドア本体７が取り付けられているドア枠部材４に対してヒンジ８を介して開閉自在に枢支され、上記ドア本体７の他側端を回動させて開閉するようにしたヒンジ式ドア１の枢支部分を覆う装置において、
　周面にカバー部材１１を巻き回して収納するための円筒パイプ１３を回転自在に保持する巻き取り装置本体１２と、上記円筒パイプ１３の内部に配設され、上記ドア本体７が開かれるときに、上記ドア本体７に引かれて上記カバー部材１１が上記巻き取り装置本体１２から繰り出されることにより上記円筒パイプ１３が一側方向に回転するときに捩じれて弾性復元力を蓄え、上記ドア本体７が閉じられて上記カバー部材１１の緊張が緩んだときに、上記蓄えた弾性復元力で上記円筒パイプ１３を他側方向に回転させて、上記円筒パイプ１３の周面に上記カバー部材１１を巻き取るための鋼板バネ１４とを有し、
　上記巻き取り装置本体１２を上記ドア枠部材４上に取り付けるとともに、上記カバー部材１１の端部１１ｂを上記ドア本体７の一側端部近傍に取り付け、上記カバー部材１１により上記ドア枠部材４と上記ドア本体７の一側端面とで形成されるコーナー部分の空間Ｓを覆うようにしたことを特徴としている。
【考案の効果】
【０００９】
　本考案は上述したように、本考案によれば、ドア本体７とドア枠部材４との間のドア閉じ方向側のコーナー部分を、繰り出し／巻き取り可能なカバー部材１１で覆うようにしたので、ドア本体７を開いたときには上記カバー部材１１が巻き取り装置本体１２から繰り出されて上記ドア本体２３に同伴して回動することにより、上記カバー部材１１が上記隙間Ｓを常に過不足無く覆うことができる。これにより、ドア１が開放されている時でも閉じているときでも上記隙間Ｓを見栄え良く覆うことができる。
　また、本考案の特徴によれば、上記カバー部材１１を巻き取るための駆動力源として鋼板バネ１４の捩れ弾性反発力を利用するようにしたので、強力な弾性反発力を得ることが可能となり、上記カバー部材１１の繰り出し及び巻き取りをスムースに、且つ確実に行なうことができる。
【考案を実施するための最良の形態】
【００１０】
　次に、添付図面を参照しながら本考案の扉用ドア隙間手はさみ防止装置の実施の形態を詳細に説明する。
　図１〜図３は、本考案の好ましい実施の形態による扉用ドア隙間手はさみ防止装置１０を説明するための図であり、図１は扉用ドア隙間手はさみ防止装置を配設したヒンジ式ドアの斜視図であり、図２及び図３は各々ドアの閉状態及び開状態を示す断面平面図である。
【００１１】
　図１〜図３において、部屋を区画する縦壁２には矩形状のドア開口３が形成されており、上記ドア開口３の内面には左右の枠部材４、５及び上記両枠部材４、５の上端間に架設された上枠部材６が配置され、これらの枠部材４〜６によって囲まれたドア開口３を上記ドア１が開閉するようになっている。
【００１２】
　上記左右の各枠部材４、５には凸状部４ａ、５ａが縦方向に沿って突設され、上記凸状部４ａ、５ａの内側面に上記ドア１のドア本体７における左右の両側縁を当接させることにより、閉鎖状態に位置決めされるようになっている。また、上記各凸状部４ａ、５ａの側方には段部４ｂ、５ｂが形成されており、上記ドア本体７を閉じたときにドアの左右の側方端面７ａ，７ｂが上記段部４ｂ、５ｂに対向する。
【００１３】
　上記ドア本体７の左側端面７ａと左枠部材４の段部４ｂとの間には縦方向に沿って所定の間隔を開けて２個のヒンジ８が配設されている。上記ヒンジ８は軸棒８ａに一対の取り付け板８ｂ，８ｃを回動自在に軸支した概略構造のものである。この一方側の取り付け板８ｂは上記段部４ｂにネジ止め固定され、他方側の取り付け板８ｃはドア本体７の左側端面７ａにネジ止め固定されている。これにより、上記ドア本体７は上記ヒンジ８を介して回動自在に枢支されている。
【００１４】
　また、上記ドア本体７の右側端面７ｂと右枠部材５の段部５ｂとの間にはドア１を閉位置に施錠するロック部材（図示せず）が配設されており、このロック部材は上記ドア本体７の反ヒンジ側に配設されたノブ９により解錠されるようになっている。
【００１５】
　さらに、本実施の形態においては、上記ドア１の反開閉方向であるドア本体７と左枠部材４との間におけるドア閉じ方向側には、扉用ドア隙間手はさみ防止装置１０が配設されている。上記扉用ドア隙間手はさみ防止装置１０は、巻き取り装置本体１２からカバー部材１１を繰り出し／巻き取り可能に構成したものである。
【００１６】
　上記カバー部材１１は、柔軟性を有するものであれば種々の部材を用いることができる。例えば、（イ）塩化ビニル軟質シート、（ロ）塩化ビニル糸入りシート、（ハ）オレフインシート、（ニ）テント生地シート、（ホ）メッシュシート、（ヘ）金網等を用いることができる。本実施の形態においては、塩化ビニル軟質シートを用いてカバー部材１１を構成している。
【００１７】
　また、カバー部材１１の性能としては、（ａ）防炎配合タイプ、（ｂ）静電気防止配合タイプ、（ｃ）耐寒配合タイプの３種類を考慮することができる。
【００１８】
　さらに、寸法的には（１）厚み範囲が０．２ｍｍ〜１．０ミリ、（２）幅（有効遮蔽幅）が５ｃｍ〜６０ｃｍ、（３）高さ（有効遮蔽高さ）が３０ｃｍ〜２ｍ程度を考慮することができる。
【００１９】
　上記カバー部材１１の端部には、取り付け部１１ｂが一体的に形成されており、上記取り付け部１１ｂは上記ドア本体７の左端面７ａ近傍の縁部に両面テープを介して接着固定されている。
【００２０】
　これにより、上記ドア１の開放時に生じる左枠部材４の段部４ｂとドア本体７の左端面７ａとの間の空間Ｓは上記カバー部材１１により覆われるので、図７で示したように指Ｆが誤って差し込まれるのを確実に防止することができる。
【００２１】
　上記カバー部材１１を上記巻き取り装置本体１２内に巻き取り、繰り出し可能に収納する機構は種々考慮されるが、本実施の形態の形態においては、図４及び図５に示すように、上記巻き取り装置本体１２内に円筒パイプ１３を回転自在に配設し、上記カバー部材１１を上記円筒パイプ１３の周面に巻き回している。
【００２２】
　上記巻き取り装置本体１２は、下部固定用止め金具１７及び上部固定用止め金具１８を介して枠部材４上に固定されるようになされている。本実施の形態においては、上記上下の固定用止め金具１７、１８を、上記巻き取り装置本体１２の端部に嵌合保持する止め金具本体１７ａ、１８ａ及び上記枠部材４に固定するための取り付け板１７ｂ、１８ｂにより構成し、上記取り付け板１７ｂ、１８ｂにビス孔１９を形成し、固定用ビス（図示せず）を介して上記枠部材４に固定するようにしている。
【００２３】
　上記円筒パイプ１３の内部の中心部には、上下方向に沿って鋼板バネ１４が配設されており、上記円筒パイプ１３は上記鋼板バネ１４を回転中心として回転し、その周面に巻き回されているカバー部材１１の巻き取り及び繰り出しを行なう。
【００２４】
　上記円筒パイプ１３は、上記鋼板バネ１４に対してその下端部において、バネ固定用治具１５を介して固着しており、上記円筒パイプ１３の上端部は上記鋼板バネ１４に対して自由に回転するように構成されている。上記鋼板バネ１４の上端部は鋼板バネ固定用治具１６によって固定されていて、上記鋼板バネ１４は上記バネ固定用治具１５と上記鋼板バネ固定用治具１６との間で捩じれたり、弾性復元力により平板状に戻ったりする変形動作を繰り返す。
【００２５】
　上記鋼板バネ１４の寸法は、幅が３ｍｍ〜２５ｍｍ、厚みが０．５ｍｍ〜２ｍｍ、長さ（高さ）が２０ｃｍ〜２．５ｍ程度を考慮することができる。
【００２６】
　上述のように構成したことにより、本実施の形態の扉用ドア隙間手はさみ防止装置１０は、ドア本体７の開動作に応じて上記カバー部材１１が巻き取り装置本体１２から繰り出されると、上記円筒パイプ１３が上記巻き取り装置本体１２内で回転する。
【００２７】
　この回転により、上記円筒パイプ１３内に配設されている鋼板バネ１４は、図６に示すように捩じられることになり、鋼板バネ１４には弾性復元力が蓄えられる。上記鋼板バネ１４の弾性復元力は、例えば、ゼンマイ等と比較して大きな力が得られるので、上記カバー部材１１の繰り出し寸法が小さくても、大きな弾性復元力を蓄えることができ、繰り出されたカバー部材１１を巻き取り装置本体１２内に確実に巻き取ることができる。
【００２８】
　上述したように、本考案の扉用ドア隙間手はさみ防止装置１０によれば、ヒンジ８を介してドア本体７を枢支する枠部材４と上記ドア本体７との間で生じる空間Ｓをカバー部材１１により覆ったので、ドア１の開閉時に上記空間Ｓに指Ｆが入り込むことはなく、指詰めによる怪我を防止することができる。その結果、子供や幼児、あるいは足腰の弱い老人が壁に伝い歩きをする場合の指詰めを確実に防止でき、安全に対する信頼性を確保できる。
【００２９】
　また、ドア本体７と枠部材４との間をこれの上下方向全長に渡ってカバー部材１１により覆ったので、両者４，７の境界部を隠すことができ、外観の向上を図ることができる。
【００３０】
　また、上記カバー部材１１をドア本体７の上下方向の略全長に渡って配設した例を示したが、本考案は手の届く危険範囲にだけカバー部材を配設するようにしてもよい。
【図面の簡単な説明】
【００３１】
【図１】本考案の実施の形態を示し、扉用ドア隙間手はさみ防止装置を取り付けた状態を説明するための斜視図である。
【図２】ドアの閉状態を示す断面平面図である。
【図３】ドアの開状態を示す断面平面図である。
【図４】扉用ドア隙間手はさみ防止装置の実施の形態を示し、概略構成を示す断面図である。
【図５】図４中のＡ−Ａ線に沿う断面図である。
【図６】鋼板バネの捩じれた状態を示す図である。
【図７】従来の一般的なドア取り付け状態を示す断面平面図である。
【符号の説明】
【００３２】
１　ドア１
２　縦壁
３　ドア開口
４　左ドア枠部材
５　右ドア枠部材
６　上枠部材
７　ドア本体
８　ヒンジ
１０　扉用ドア隙間手はさみ防止装置
１１　カバー部材
１２　巻き取り装置本体
１３　円筒パイプ
１４　鋼板バネ
１５　バネ固定用治具
１６　鋼板バネ固定用治具
１７　下部固定用止め金具
１８　上部固定用止め金具
１９　ビス孔
【図１】
0003100184.tif 000003
【図２】
0003100184.tif 000004
【図３】
0003100184.tif 000005
【図４】
0003100184.tif 000006
【図５】
0003100184.tif 000007
【図６】
0003100184.tif 000008
【図７】
0003100184.tif 000009